(57)【要約】【課題】容易に胎児の月齢等の情報を取得することが可能な装身具、及び胎児の月齢等を前記装身具に表示するシステムを提供する。【解決手段】  装身具に胎児の月齢及び／又は胎児イメージ画像を含む胎児情報を表示するプログラムであって、  端末装置を、  月齢決定情報の入力を受け付ける入力手段と、  前記月齢決定情報に基づいて前記胎児情報を決定する決定手段と、  前記装身具に、前記胎児情報と対応する、対応胎児情報を表示するための情報を送信する送信手段として機能させることを特徴とする、プログラム。【選択図】図１
2019159364.tif 000002
【特許請求の範囲】
【請求項１】
装身具に胎児の月齢及び／又は胎児イメージ画像を含む対応胎児情報を表示するプログラムであって、
端末装置を、
月齢決定情報の入力を受け付ける入力手段と、
前記月齢決定情報に基づいて胎児情報を決定する決定手段と、
前記装身具に、前記胎児情報と対応する、対応胎児情報を表示するための情報を送信する送信手段として機能させることを特徴とする、プログラム。
【請求項２】
前記送信手段が、近距離無線通信によるものであることを特徴とする、請求項１に記載のプログラム。
【請求項３】
前記胎児情報が、経時的に変化するものであり、
さらに、前記端末装置を、前記装身具に、当該変化した胎児情報に対応する対応胎児情報を表示するための情報を送信する手段として機能させることを特徴とする、請求項１又は２に記載のプログラム。
【請求項４】
さらに、前記端末装置を、前記装身具から送信された、陣痛及び／又は胎動の発生時間、並びに陣痛及び／又は胎動の回数を含む、陣痛情報及び／又は胎動情報を受信する受信手段として機能させることを特徴とする、請求項１〜３の何れか一項に記載のプログラム。
【請求項５】
前記受信手段が、前記装身具に備えられたボタン部が押圧されることにより送信される前記陣痛情報及び／又は胎動情報を受信することを特徴とする、請求項４に記載のプログラム。
【請求項６】
端末装置に入力された出産予定日情報に基づいて決定される胎児の月齢及び／又は胎児イメージ画像を含む胎児情報と対応する、対応胎児情報を表示する表示部を備えることを特徴とする、装身具。
【請求項７】
前記胎児情報が、経時的に変化するものであり、当該変化に基づいて、前記装身具の表示部に表示する対応胎児情報の更新を受け付ける手段を有することを特徴とする、請求項６に記載の装身具。
【請求項８】
陣痛及び／又は胎動の発生時間、並びに陣痛及び／又は胎動の回数を含む陣痛情報及び／又は胎動情報を、前記端末装置に送信する送信手段を備えることを特徴とする、請求項６又は７に記載の装身具。
【請求項９】
前記装身具が、さらにボタン部を備えており、前記送信手段が前記装身具に備えられたボタン部を押すことで、前記端末装置に前記陣痛及び／又は胎動情報が送信される手段であることを特徴とする、請求項８に記載の装身具。
【請求項１０】
前記装身具が、チャームであることを特徴とする、請求項６〜９の何れか一項に記載の装身具。
【発明の詳細な説明】
【技術分野】
【０００１】
本発明は、月齢を表示可能な機能を有するアクセサリー、及び月齢表示システムに関する。
【背景技術】
【０００２】
妊産婦が交通機関等を利用する際に身に着け、周囲が妊産婦への配慮を示しやすくするために利用される「マタニティーマーク」は、現在広く周知されている。
【０００３】
マタニティーマークの使用は、特に外見からは妊産婦か否かの見分けがつかない妊娠初期の妊産婦や、妊娠中期、及び妊娠後期においても妊娠が目立たない妊産婦にとって、安全性と快適さを確保するのに有用である。
【０００４】
しかし、マタニティーマークは、あくまで簡易的に妊娠の可否を周知するものであり、胎児の月齢等の詳細な情報を示すものではない。
【先行技術文献】
【特許文献】
【０００５】
【特許文献１】特開２０１７−１８２７２１号公報
【発明の概要】
【発明が解決しようとする課題】
【０００６】
妊産婦は、胎児の月齢に応じて、手術や服用可能な薬に制限がかかることが知られている。したがって、緊急時において、妊娠の可否のみならず、胎児の月齢等の情報を医療関係者や周囲の人々が迅速に取得することが重要となる。
【０００７】
特許文献１には、所定無線通信方式によりリーダ／ライタに接続され、情報の書き込みと読み出しを受け、所持者の個人情報を含む緊急時情報が記録されたＩＣタグを備えた装身品であり、当該装身品は、マタニティーマークを利用したアクセサリーなどでもよく、目立つところに身に着けることが望ましいことが記載されている。
【０００８】
しかし、当該装身品は、緊急時情報が記載されたＩＣタグが備えられていることが知られていなければ、ＩＣタグが読み取られることなく、緊急時情報を取得することができない。
したがって、本発明は、一目見て、容易に胎児の月齢等の情報を取得することが可能な装身具、及び胎児の月齢等を前記装身具に表示するシステムを提供することを第１の課題とする。
【０００９】
また、出産の前兆である陣痛は、１０分間隔となると本陣痛と呼ばれ、出産の準備にかかるため病院に向かう必要がある。
一方で胎動は、胎児の健康状態を把握するために重要な要素である。
したがって、陣痛や胎動の発生時間及び発生回数等を記録することは重要である。
【００１０】
現在、陣痛や胎動の発生時間及び発生回数等を記録する入力手段を有する、携帯端末用アプリケーションが数多く存在する。
しかし、携帯端末用アプリケーションに入力するためには、携帯端末を手に取り、アプリケーションを起動し、入力を行う必要がある。
【００１１】
この僅かな動作であっても、陣痛や胎動で激しい痛みを感じる妊産婦にとっては煩わしいものである。
【００１２】
そこで、本発明は、陣痛及び／又は胎動の発生時間及び回数等の情報を、より簡便に記録することができる装身具、及びそのシステムを提供することを第２の課題とする。
【課題を解決するための手段】
【００１３】
前記課題を解決する本発明は、
装身具に胎児の月齢及び／又は胎児イメージ画像を含む対応胎児情報を表示するプログラムであって、
端末装置を、
月齢決定情報の入力を受け付ける入力手段と、
前記月齢決定情報に基づいて胎児情報を決定する決定手段と、
前記装身具に、前記胎児情報と対応する、対応胎児情報を表示するための情報を送信する送信手段として機能させる、プログラムである。
本発明のプログラムによれば、装身具に月齢情報に基づいて決定される胎児情報と対応する対応胎児情報が表示されることにより、当該胎児情報を周囲に周知することができる。これにより、緊急時において、正確な胎児情報を迅速に取得することが可能となる。
【００１４】
本発明の好ましい形態では、前記送信手段が、近距離無線通信によるものである。
このような形態とすることで、前記端末装置及び前記装身具の消費電力を抑えることができ、緊急時に、前記端末装置の表示部に対応胎児情報が表示されないという事態を抑制することができる。
【００１５】
本発明の好ましい形態では、前記胎児情報が経時的に変化するものであり、さらに、前記端末装置を、前記装身具に、当該変化した胎児情報に対応する、対応胎児情報を表示するための情報を送信する手段として機能させる。
このような形態とすることで、最新の対応胎児情報を前記装身具に表示することが可能となる。
【００１６】
本発明の好ましい形態では、前記端末装置を、前記装身具から送信された、陣痛及び／又は胎動の発生時間、並びに回数を含む陣痛情報及び／又は胎動情報を受信する受信手段として機能させる。
このような形態とすることで、陣痛情報及び／又は胎動情報を容易に記録することができる。
【００１７】
本発明の好ましい形態では、前記受信手段が、前記装身具に備えられたボタン部が押圧されることにより送信される、前記陣痛及び／又は胎動情報を受信する。
このような形態とすることで、より容易に陣痛及び／又は胎動情報を記録することができる。
【００１８】
また、前記課題を解決する本発明は、端末装置に入力された出産予定日情報に基づいて決定される胎児の月齢及び／又は胎児イメージ画像を含む胎児情報と対応する、対応胎児情報を表示する表示部を備える、装身具である。
本発明の装身具は、周囲に胎児情報を周知することができる。
【００１９】
本発明の好ましい形態では、前記胎児情報が、経時的に変化するものであり、当該変化に基づいて、前記装身具の表示手段に表示する対応胎児情報の更新を受け付ける手段を有する。
このような形態とすることで、最新の対応胎児情報を表示部に表示することが可能となる。
【００２０】
本発明の好ましい形態では、前記装身具は、陣痛及び／又は胎動の発生時間、並びに回数を含む陣痛情報及び／又は胎動情報を、前記端末装置に送信する送信手段を備える。
このような形態とすることで、容易に陣痛及び／又は胎動情報を記録することができる。
【００２１】
本発明の好ましい形態では、前記装身具が、さらにボタン部を備えており、前記送信手段が前記装身具に備えられたボタン部を押すことで、前記端末装置に前記陣痛情報及び／又は胎動情報が送信される手段である。
このような形態とすることで、より容易に陣痛及び／又は胎動情報を記録することができる。
【００２２】
本発明の好ましい形態では、前記装身具がチャームである。
【発明の効果】
【００２３】
本発明のプログラム及び装身具によれば、周囲に胎児情報を周知することができる。
また、本発明の好ましい形態によれば、容易に陣痛及び／又は胎動情報を記録することができる。
【図面の簡単な説明】
【００２４】
【図１】本発明のプログラムを使用したシステムの一実施形態に係るブロック図である。
【図２】本発明のプログラムを使用したシステムの一実施形態に係るイメージ図である。
【図３】胎児イメージ画像の一例を示した図である。
【図４】本発明プログラムを使用したシステムの一実施形態に係るイメージ図である。
【発明を実施するための形態】
【００２５】
以下、図面を参照して本発明の実施形態について説明するが、本発明はこれに限られない。
【００２６】
図１は、本発明のプログラムを使用したシステムの一実施形態に係るブロック図であり、ここに図示しない他の付加的な構成を備えてもよい。
図２は、本発明のプログラムを使用したシステムの一実施形態に係るイメージ図である。
【００２７】
本発明のプログラムを使用したシステム１０は、端末装置２０及び装身具３０を備え、入力手段２１に入力された月齢決定情報に基づいて、胎児情報決定手段２２が胎児情報を決定し、当該胎児情報に対応した対応胎児情報を表示するための情報を送信する対応胎児情報送信手段２３により、装身具３０に前記対応胎児情報を送信する。
本実施形態において、端末装置２０はスマートフォンである。端末装置２０は、フィーチャーフォン、パーソナルコンピューター、及び本システム専用の装置等であってもよい。
【００２８】
本実施形態では、本発明のプログラムは、端末装置２０にインストール可能なアプリケーションである。
プリケーションは、Ｗｅｂ上からダウンロードしたアプリケーションをインストールする形態であっても、ＣＤ−ＲＯＭ等の記録媒体からインストールする形態であってもよい。
【００２９】
入力手段２１は、月齢決定情報（図示せず）の入力を受け付ける。
ここで、月齢決定情報とは、入力することで胎児の月齢を決定することが可能な情報であれば、特に限定されず、出産予定日や、胎児の月齢そのものであってもよい。
【００３０】
胎児情報決定手段２２は、月齢決定手段２２１、及び画像決定手段２２２を含み、入力された前記月齢決定情報に基づき、胎児月齢情報２２３及び胎児イメージ画像２６を決定する。
月齢決定手段２２１は、月齢決定情報が出産予定日である場合には、一般的な妊娠期間といわれる十月十日から、現在の日付までの日数を引くことで算出される月日を、胎児月齢情報２２３として決定する。
また、前記月齢決定情報が胎児の月齢そのものである場合には、入力された当該胎児の月齢を胎児月齢情報２２３として決定する。
【００３１】
画像決定手段２２２は、決定された胎児月齢情報２２３に基づき、胎児イメージ画像２６を決定する。
胎児月齢情報２２３が決定されると、記憶手段２４に記憶されている複数の胎児イメージ画像群２５の中から、胎児月齢情報２２３に紐づけられた胎児イメージ画像群２５が選択される。図３に、胎児イメージ画像群２５の一例を示す。
例えば、胎児の月齢が４週間である場合には、４週間という情報に紐づけられた胎児イメージ画像群２５ａが選択され、５週間である場合には、５週間という情報に紐づけられた胎児イメージ画像群２５ｂが選択される。
本実施形態において、胎児イメージ画像群２５は、妊娠週に基づいて決定されるが、日数に基づいて選択される形態であっても、月数に基づいて選択される形態であってもよい。
【００３２】
本実施形態において、胎児イメージ画像群２５ａが選択された場合には、胎児イメージ画像２６ａ〜ｃの中から、表示部２９に表示される胎児イメージ画像２６が決定される。胎児イメージ画像２６は、胎児イメージ画像群２５の中から無作為に選択される形態であってもよく、任意に選択される形態であってもよい。
【００３３】
胎児イメージ画像２６が任意に選択される形態である場合には、ユーザーが、胎児イメージ画像群２５の中から胎児イメージ画像２６を決定する形態とすることができる。
また、胎児イメージ画像２６を決定する胎児イメージ画像決定情報（図示せず）を入力することで、胎児イメージ画像２６が選択される形態とすることができる。
【００３４】
胎児イメージ画像決定情報は、どのように設定することも可能である。例えば、後述する胎動の回数等の胎動情報を胎児イメージ画像決定情報として、胎動の回数が任意に設定された回数を超えると、それに応じた胎児イメージ画像（例えば、胎児が元気な状態を表わす胎児イメージ画像等）が選択される形態とすることができる。
【００３５】
本実施形態は、胎児月齢情報２２３に紐づけられた胎児イメージ画像群２５の中から胎児イメージ画像２６が決定される形態であるが、別の実施形態においては、胎児月齢情報２２３と胎児イメージ画像２６が紐づけられており、胎児イメージ画像群２５を有さない形態であってもよい。
【００３６】
本実施形態において、記憶手段２４は端末装置２０の内蔵ストレージである。
【００３７】
記憶手段２４は、端末装置２０外に備えられている形態であってもよい。
例えば、胎児イメージ画像群２５及び胎児イメージ画像２６は、サーバー４０上に記憶されており、端末装置２０が、胎児月齢情報２２３をサーバー４０に送信し、サーバー４０は、胎児月齢情報２２３に紐づけられた胎児イメージ画像群２５の中から胎児イメージ画像２６を決定し、サーバー４０は、胎児イメージ画像２６を表示するための情報を端末装置２０に送信する形態であってもよい。
【００３８】
決定された胎児月齢情報２２３及び胎児イメージ画像２６を含む胎児情報は、図２に示すように、端末装置２０の表示部２９に表示される。また、図２に示す通り、表示部２９には、出産予定日情報２２４を表示してもよい。
胎児月齢情報２２３は、図２に示すように、日数、月数、又は週数及び日数等、どのような形態で表示されてもよい。
【００３９】
表示部２９に表示される陣痛情報及び／又は胎動情報２８１は、陣痛が発生した時間、及び陣痛が発生した回数を含む。陣痛が発生した時間は、図１に示すように、年月日及び時間を表示する形態であってもよく、時間だけを表示する形態であってもよい。
【００４０】
本発明のプログラムは、端末装置２０を、前記陣痛情報及び／又は胎動情報２８１を入力する入力手段として機能させてもよいが、端末装置２０を後述する装身具３０が有する陣痛情報及び／又は胎動情報送信手段３５により送信される陣痛情報及び／又は胎動情報２８１を受け付ける受付手段として機能させることが好ましい。
このような形態とすることで、より容易に陣痛情報及び／又は胎動情報２８１を記録することが可能となる。
【００４１】
端末装置２０は、近距離無線通信部２７により、胎児月齢情報２２３及び胎児イメージ画像２６を含む胎児情報と対応する対応胎児情報を表示するための情報を送信する、対応胎児情報送信手段２３として機能する。
近距離無線通信によることで、端末装置２０及び装身具３０の電力消費を極力抑えることができ、緊急時に、電力が足りなくなるという事態を抑制することができる。
【００４２】
ここで、「対応胎児情報」とは、端末装置２０に表示される胎児情報と完全に同一の胎児情報である必要がないことを意味するに過ぎず、胎児イメージ画像２６と胎児月齢情報２２３の表示される位置関係、胎児月齢情報の表示形式等は、必ずしも同一である必要はない。
例えば、端末装置２０に表示される胎児月齢情報２２３が日数で表されている場合には、対応胎児情報に含まれる対応胎児月齢情報３２１は、日数で表されてもよく、週数及び日数の形式等で表されていてもよい。
言い換えれば、実質的な内容が同一であれば、その表現形式が同一である必要はない。
【００４３】
また、「表示するための情報を送信する」とは、端末装置２０から、胎児月齢情報２２３及び胎児イメージ画像２６そのものを送信する形態のみならず、装身具３０に予め記録されている対応胎児イメージ画像３２２を表示部３３に表示するための命令を送信する形態等も含まれることを意味する。
【００４４】
対応胎児情報送信手段２３は近距離無線通信部２７によるものに限定されず、遠距離無線通信及び有線通信によるものであってもよく、サーバーを介して、前記胎児情報に対応する対応胎児情報を表示するための情報を送信する形態として機能させてもよい。
【００４５】
装身具３０は、近距離無線通信部３１により、対応胎児情報送信手段２３により送信された情報を受信する対応胎児情報受信手段３２として機能する。
前記情報が、胎児月齢情報２２３及び胎児イメージ画像２６そのものである場合には、胎児月齢情報２２３を対応胎児月齢情報３２１とし、胎児イメージ画像２６を対応胎児イメージ画像３２２とし、表示部３３に表示する。
前記情報が、対応胎児情報を表示するための命令である場合には、装身具３０の記憶手段（図示せず）に記憶された、当該命令に紐づけられた対応胎児月齢情報３２１及び対応胎児イメージ画像３２２を選択し、表示部３３に表示する。
【００４６】
本実施形態において、前記胎児情報は経時的に変化する。例えば、胎児月齢情報２２３は、日数、週数又は月数の経過に伴い変化し、胎児イメージ画像２６は、日数、週数、月数又は時分の経過に伴い変化する。
胎児イメージ画像２６が日数又は時分の経過に伴い変化する場合には、上述した胎児イメージ画像群２５の中から、現在表示している胎児イメージ画像２６とは別の胎児イメージ画像２６が表示される形態とすることができる。
例えば、胎児イメージ画像２６ａが選択されている場合には、日数又は時分の経過に伴い、胎児イメージ画像２６ｂ又は２６ｃが選択される形態とすることができる。
【００４７】
週数、又は月数の経過により胎児イメージ画像２６が変化する場合には、週数、又は月数に基づいて決定される胎児イメージ画像群２５が変化し、その中から胎児イメージ画像２６が選択される。
【００４８】
具体例として、胎児イメージ画像群２５が、週数により変化するものであり、現在選択されている胎児イメージ画像群２５が、胎児イメージ画像群２５ａである場合について説明する。
妊娠週数（胎児の月齢と同義）が変わると、図１に示す計時手段２０１が、胎児情報決定手段２２に、妊娠週数を表わす、又は計算可能な計時情報（図示せず）を送信する。前記計時情報に基づき、月齢決定手段２２１が、胎児月齢情報２２３を更新する。そして、画像決定手段２２２が、胎児月齢情報２２３の更新に基づいて、胎児イメージ画像群２５ａを、次の妊娠週数に紐づけられた胎児イメージ画像群２５ｂに更新し、胎児イメージ画像２６ｄ〜２６ｆの中から、胎児イメージ画像２６を決定する。
【００４９】
経時的な変化が、日数又は月数の経過による変化である場合には、上述した週数により変化する場合と同様のステップで、胎児情報が変化する。
経時的な変化が、時分である場合には、月齢決定手段２２１による胎児月齢情報２２３の更新を行うステップを介さず、計時情報を受け付けた画像決定手段２２２が、上述の通り胎児イメージ画像群２５を更新し、胎児イメージ画像２６を決定する形態とすることができる。
【００５０】
本実施形態において、計時手段２０１は端末装置２０に備えられたカレンダー部である。経時的な変化が時分によるものである場合には、計時手段２０１は時計部であってもよい。また、カレンダー部及び時計部の両方を計時手段２０１として採用することもできる。
【００５１】
また、計時手段２０１は、サーバーが備える形態であってもよく、サーバーから送信される計時情報を端末装置が受け付ける形態であってもよい。
【００５２】
計時情報は、計時的な変化を示す、又は計算することができる情報であれば特に限定されず、時刻、現在の日付、妊娠日からの現在の経過週数、出産予定日から逆算した現在の胎児の月齢等を採用することができる。
【００５３】
本実施形態において、端末装置２０は、上述した変化した胎児情報に対応する対応胎児情報を表示するための情報を送信する手段として機能させる。そして、装身具３０が、当該情報を受け付ける対応胎児情報受信手段３２として機能し、表示部３３に表示される対応胎児月齢情報３２１及び対応胎児イメージ画像３２２を含む対応胎児情報が更新される。
すなわち、前記端末装置２０に表示される胎児情報の変化と連動して、前記装身具３０に表示される対応胎児情報が変化する。
このような形態とすることで、最新の対応胎児情報を表示部３３に表示することが可能となる。
【００５４】
表示部３３の材質は、特に限定されないが、液晶ディスプレイ及び有機ＥＬディスプレイ等が挙げられる。
【００５５】
本実施形態において、装身具３０は、表示部３３を有する面に対向する面にボタン部３４を備える（図２）。
装身具３０は、ボタン部３４を押すことで、押された時間及び回数が、陣痛情報及び／又は胎動情報２８１として端末装置２０に送信する陣痛情報及び／又は胎動情報送信手段３５を有する。
そして、端末装置２０は、陣痛情報及び／又は胎動情報２８１を受信する、陣痛情報及び／又は胎動情報受信手段２８として機能し、表示部２９には、陣痛情報及び／又は胎動情報２８１が表示される。また、陣痛情報及び／又は胎動情報２８１は、記憶手段２４に記録される。
このような形態とすることで、従来のアプリケーションを利用するよりも、容易に陣痛情報及び／又は胎動情報２８１を記録することができる。
【００５６】
送信手段３５は、近距離無線通信によるのが好ましいが、遠距離無線通信、有線通信であってもよく、サーバーを介して端末装置２０に送信する手段であってもよい。
【００５７】
本実施形態においては、陣痛情報及び／又は胎動情報２８１の送信は、例えば、ボタン部３４を長押しすると陣痛情報が送信され、ボタン部３４を短押しすると胎動情報が送信される等により、送信する情報を選択することができる。
【００５８】
別の実施形態においては、端末装置２０に送信された陣痛情報及び／又は胎動情報２８１を、端末装置２０側で編集することにより、陣痛情報及び胎動情報を別々に記録することができる。
【００５９】
本発明に係る装身具３０は、ボタン部３４部が表示部３３を有する面に対向する面に位置することを要せず、また、図１に示す大きさを有している必要もない。
【００６０】
ボタン部３４は、例えば、腕時計やストップウォッチに備えられるボタンのように、装身具３０の側面部に備えられていてもよい。
【００６１】
また、送信手段３５は、ボタン部３４を押すことによるものに限られない。
例えば、表示部３３がタッチパネルとなっており、表示部３３を操作することで、陣痛情報及び／又は胎動情報２８１を送信する形態であってもよく、表示部３３とは別に、タッチパネルを備える形態であってもよい。
【００６２】
装身具３０の電源は、特に限定されないが、コイン型電池、リチウムイオン充電池等が例示できる。
装身具３０の表面素材は、特に限定されないが、亜鉛合金、プラスチック、合成皮革等が例示できる。
装身具３０のサイズは、特に限定されないが、幅が３０〜６０ｍｍ、高さが３０〜６０ｍｍ、奥行きが５〜２０ｍｍのものが例示できる。
装身具３０のデザインによって、これらの形態は任意に変更することが可能である。
【００６３】
図２には、装身具３０として、チャーム型のものを例示したが、本発明はこれに限られない。
例えば、指輪型、腕時計型、懐中時計型、ブレスレット型、アンクレット型、ブローチ型、バッジ型、チョーカー型、ロケット型等のものが挙げられる。
【００６４】
上述した胎児情報には、胎児月齢情報２２３又は胎児イメージ画像２６以外の他の情報を含むことができる。
また、装身具３０の表示部３３には、対応胎児月齢情報３２１及び／又は対応胎児イメージ画像３２２以外の他の情報を表示することが可能である。
【００６５】
他の情報としては、例えば検診予定情報、妊婦体調情報、メッセージ情報等が例示できる。
【００６６】
検診予定情報とは、使用者により端末装置２０に入力された検診日時、検診内容等の情報である。
本発明の一実施形態として、端末装置２０を、検診の１時間前、３０分前、１０分前等の所定の時間に、検診予定情報を表示するための情報を装身具３０に送信する送信手段として機能させることで、表示部３３に検診予定情報が表示される形態とすることができる。
【００６７】
妊婦体調情報とは、使用者により端末装置２０に任意に入力可能な妊婦の体調を示す情報である。
妊婦体調情報は、文章であってもよく、アイコン等を用いたものであってもよい。
本発明の一実施形態として、端末装置２０を前記妊婦体調情報の入力手段として機能させ、さらに、端末装置２０を、妊婦体調情報を表示するための情報を装身具３０に送信する送信手段として機能させる形態とすることができる。
【００６８】
メッセージ情報とは、使用者により端末装置２０に任意に入力された、装身具３０を保有している人に対しての情報である。
メッセージ情報は、例えば、文章であってもよく、スタンプ等を用いたものであってもよい。
本発明の一実施形態として、端末装置２０を、メッセージ情報の入力手段として機能させ、さらに、端末装置２０を、メッセージ情報を表示するための情報を装身具３０に送信する送信手段として機能させることができる。
【００６９】
また、装身具３０の表示部３３が、タッチパネルである場合には、タッチパネルを操作することにより、図２に示す対応胎児月齢情報３２１及び対応胎児イメージ画像３２２の表示画面と、上述した他の情報の表示画面を切り替え可能な形態とすることができる。
【００７０】
このように、他の情報を表示可能な形態とすることで、端末装置２０を妊産婦が保有し、装身具３０をその配偶者が保有している場合に、配偶者は、妊産婦の情報をリアルタイムに知ることができ、夫婦のコミュニケーションを円滑に進めることが可能となる。
【００７１】
また、端末装置２０と装身具３０との通信方式として、近距離無線通信が採用されている場合には、妊産婦が保有する端末装置２０ａと、その配偶者が保有する端末装置２０ｂとが、サーバー４０を介して連動しており、端末装置２０ａに入力された各情報が端末装置２０ｂに送信され、端末装置２０ｂが受け取った情報を表示するための情報を、近距離無線通信により配偶者が保有する装身具３０ｂに送信する形態とすることもできる（図４参照）。
【００７２】
このような形態とすることで、配偶者は、携帯電話等の端末装置を公に使えない場合であっても胎児情報をリアルタイムに取得することができる。
【産業上の利用可能性】
【００７３】
本発明のプログラム及び装身具は、妊産婦の安全性及び快適さをサポートする新たなツールとして応用することができる。
【符号の説明】
【００７４】
１０    システム
２０    端末装置
２０１  計時手段
２１    入力手段
２２    胎児情報決定手段
２２１  月齢決定手段
２２２  画像決定手段
２２３  胎児月齢情報
２２４  出産予定日情報
２３    対応胎児情報送信手段
２４    記憶手段
２５    胎児イメージ画像群
２６    胎児イメージ画像
２７    近距離無線通信部（端末装置）
２８    陣痛情報及び／又は胎動情報受信手段
２８１  陣痛情報及び／又は胎動情報
２９    表示部（端末装置）
３０    装身具
３１    近距離無線通信部（装身具）
３２    対応胎児情報受信手段
３２１  対応胎児月齢情報
３２２  対応胎児イメージ画像
３３    表示部（装身具）
３４    ボタン部
３５    陣痛情報及び／又は胎動情報送信手段
４０    サーバー
【図１】
2019159364.tif 000003
【図２】
2019159364.tif 000004
【図３】
2019159364.tif 000005
【図４】
2019159364.tif 000006
【手続補正書】
【提出日】平成30年6月28日(2018.6.28)
【手続補正１】
【補正対象書類名】特許請求の範囲
【補正対象項目名】全文
【補正方法】変更
【補正の内容】
【特許請求の範囲】
【請求項１】
装身具に胎児の月齢及び／又は胎児イメージ画像を含む対応胎児情報を表示するプログラムであって、
端末装置を、
月齢決定情報の入力を受け付ける入力手段と、
前記月齢決定情報に基づいて胎児情報を決定する決定手段と、
前記装身具に、前記胎児情報と対応する、対応胎児情報を表示するための情報を送信する送信手段として機能させ、
前記端末装置及び装身具は、別体であり、
さらに、前記胎児情報が、前記端末装置が備える計時手段に基いて経時的に変化するものであり、
前記端末装置を、前記端末装置に表示される前記胎児情報の変化に連動して、当該変化した胎児情報に対応する対応胎児情報を表示するための情報を送信する手段として機能させることを特徴とする、プログラム。
【請求項２】
前記端末装置が、スマートフォンであることを特徴とする、請求項１に記載のプログラム。
【請求項３】
前記送信手段が、近距離無線通信によるものであることを特徴とする、請求項１又は２に記載のプログラム。
【請求項４】
さらに、前記端末装置を、前記装身具から送信された、陣痛及び／又は胎動の発生時間、並びに陣痛及び／又は胎動の回数を含む、陣痛情報及び／又は胎動情報を受信する受信手段として機能させることを特徴とする、請求項１〜３の何れか一項に記載のプラグラム。
【請求項５】
前記受信手段が、前記装身具に備えられたボタン部が押圧されることにより送信される前記陣痛情報及び／又は胎動情報を受信することを特徴とする、請求項４に記載のプログラム。
【請求項６】
端末装置及び装身具を備え、前記端末装置と前記装身具とは、それぞれ別体であり、前記装身具に出産予定日情報に基づいて決定される胎児の月齢及び／又は胎児イメージ画像を含む胎児情報と対応する、対応胎児情報を表示する月齢表示システムであって、
前記端末装置が、
前記出産予定日情報の入力を受け付ける入力手段と、
前記出産予定日情報に基づいて前記胎児情報を決定する決定手段と、
前記装身具に、前記対応胎児情報を表示するための情報を送信する送信手段と、
計時手段とを有し、
前記装身具が、
前記対応胎児情報を表示するための表示手段を有し、
前記胎児情報が、前記計時手段に基いて経時的に変化するものであり、
前記装身具が前記胎児情報の変化に連動した、前記対応胎児情報の更新を受け付ける手段を有することを特徴とする、月齢表示システム。
【請求項７】
前記装身具が、陣痛及び／又は胎動の発生時間、並びに陣痛及び／又は胎動の回数を含む陣痛情報及び／又は胎動情報を、前記端末装置に送信する送信手段を有することを特徴とする、請求項６に記載のシステム。
【請求項８】
前記装身具が、さらにボタン部を備えており、前記送信手段が前記装身具に備えられたボタン部を押すことで、前記端末装置に前記陣痛及び／又は胎動情報が送信される手段であることを特徴とする、請求項７に記載のシステム。
【請求項９】
前記装身具が、チャームであることを特徴とする、請求項６〜８の何れか一項に記載のシステム。